(57)【要約】      （修正有）【課題】ＬＥＤから発生する熱を効果的に抑制する照明装置を提供する。【解決手段】フード１内に配置してあって光源であるＬＥＤ２を前面側の取付け面に複数設けてある基板３と、この基板の背面側に設けてある断熱板４と、基板３の間で断熱板４を挟持しているヒートシンク６とを一体に組合せ、断熱板４の複数個所にサーモモジュール５を組み込んであり、ヒートシンク６はその背面から放熱フィン６１が突出されており、サーモモジュール５はペルチェ素子からなり、その冷却面によって基板３からの熱を冷却し、放熱面からは吸収した熱をヒートシンク６の放熱フィン６１に放出する。【選択図】図１
2011018500.tif 000002
【特許請求の範囲】
【請求項１】
フードと、このフード内に配置してあって光源であるＬＥＤを前面側の取付け面に複数設けてある基板と、この基板の背面側に設けてあるヒートシンクと、このヒートシンクと上記基板との間に設けてあるサーモモジュールとを備えており、
上記サーモモジュールは、上記基板側に上記ＬＥＤから発生される熱を冷却するための冷却部をその反対側である上記ヒートシンク側に吸収した熱をこのヒートシンクに向けて放熱する放熱部を形成している
ことを特徴とする照明装置。
【請求項２】
サーモモジュールはペルチェ素子からなり、冷却部が冷却面であり、放熱部が放熱面であることを特徴とする請求項１記載の照明装置。
【請求項３】
サーモモジュールはペルチェ素子からなり、冷却部が冷却面であり、放熱部が放熱面であり、基板とヒートシンクとの間に断熱板を挟持しており、この断熱板の複数個所に上記ペルチェ素子をそれぞれ組み込んであり、上記冷却面が上記基板の背面と密着されており、上記放熱面が上記ヒートシンクと密着されていることを特徴とする請求項１記載の照明装置。
【請求項４】
ヒートシンクは、背面側に放熱フィンを起立してあることを特徴とする請求項１乃至請求項３のいずれかに記載の照明装置。
【請求項５】
フードは外カバーと内カバーとからなる二重構造であり、上記外カバーには前面側及び後端側に間隔をおいて複数の第１及び第２の外側開口をそれぞれ開けてあり、上記内カバーは内部にヒートシンクを収納してあり、いずれも間隔をおいて複数の第１及び第２の内側開口を開けてあり、上記外カバーの第１の外側開口は上記内カバーの第１の内側開口と隣接する位置関係にあり、上記第１の外側開口から流入した外気は上記第１の内側開口を経て上記内カバー内に流入可能であり、上記内カバー内に流入した外気は上記第２の内側開口を経て上記外カバーの第２の外側開口から上記フードの外側へ排出可能であることを特徴とする請求項１乃至請求項４のいずれかに記載の照明装置。
【請求項６】
フードは外カバーと内カバーとからなる二重構造であり、上記外カバーには前面側及び後端側の各外周に円周方向に沿って間隔をおいてスリット状の第１及び第２の外側開口をそれぞれ開けてあり、上記内カバーは本体部を備えており、この本体部内にヒートシンクを収納してあり、上記本体部の外周部に円周方向に沿って間隔を置いてスリット状の第１の内側開口を開けてあり、上記本体部の天板部に複数の第２の内側開口を開けてあり、上記外カバーの第１の外側開口は上記内カバーの第１の内側開口と隣接する位置関係にあり、上記第１の外側開口から流入した外気は上記第１の内側開口を経て上記本体部内に流入可能であり、上記本体部内に流入した外気は上記第２の内側開口を経て上記外カバーの第２の外側開口から上記フードの外側へ排出可能であることを特徴とする請求項１乃至請求項４のいずれかに記載の照明装置。
【請求項７】
フードは外カバーと内カバーとからなる二重構造であり、上記外カバーには前面側及び後端側の各外周に円周方向に沿って間隔をおいてかつ円周方向に長い横長スリット状の第１及び第２の外側開口をそれぞれ開けてあり、上記内カバーは本体部を備えており、この本体部内にヒートシンクを収納してあり、上記本体部の外周部に円周方向に沿って間隔を置いてかつ円周方向と交差する方向に長い縦長スリット状の第１の内側開口を開けてあり、上記本体部の天板部に複数の第２の内側開口を開けてあり、上記外カバーの第１の外側開口は上記内カバーの第１の内側開口と隣接する位置関係にあり、上記第１の外側開口から流入した外気は上記第１の内側開口を経て上記本体部内に流入可能であり、上記本体部内に流入した外気は上記第２の内側開口を経て上記外カバーの第２の外側開口から上記フードの外側へ排出可能であることを特徴とする請求項１乃至請求項４のいずれかに記載の照明装置。
【請求項８】
基板の前面側にＬＥＤに対向して前カバーを配置してあることを特徴とする請求項１乃至請求項７のいずれかに記載の照明装置。
【請求項９】
基板の前面側にＬＥＤに対向して前カバーを配置してあり、この前カバーには各ＬＥＤに対向してレンズカバーをそれぞれ設けてあることを特徴とする請求項１乃至請求項７のいずれかに記載の照明装置。
【発明の詳細な説明】
【技術分野】
【０００１】
この発明は、事務所、一般住宅、店舗、学校、冷凍庫、看板などの照明に用いられるＬＥＤ（発光ダイオード）を発光源とする照明装置に関するものである。
【背景技術】
【０００２】
発光源としてＬＥＤ（発光ダイオード）を組み込んでいる照明装置において、このＬＥＤから発生する熱による装置内の温度上昇がＬＥＤの劣化を招く課題がある。この課題を解決するために、ＬＥＤの温度上昇を抑制する照明装置が多数提案されている。
例えば、特開２００９−１６６７４号公報に開示されている照明器具（以下「従来例１」という。）は、当該公報の図１及び図２に示すように、筐体内にプリント配線板を取り付けている。このプリント配線板の下面にはＬＥＤ（発熱体）が実装されており、そして上面には上記発熱するＬＥＤを冷却するためのヒートシンクが実装されている。このヒートシンクは、帯状の金属板を巻き中心軸を中心として巻き物状（スクロール状）に巻いて形成されている。
また、特開２００９−２１２６４号公報に開示されている照明装置（以下「従来例２」という。）は、当該公報の図１及び図２に示すように、ベース部の表面上にアレイ状に配置されている絶縁性ヒートシンク上にＬＥＤチップが設けられている。そして、ベース部の裏面側に円筒状の支持体が取り付けられている。この支持体の外周面には複数の放熱フィンが設けられている。複数の放熱フィンは支持体の中心軸を中心として外周面から外方に放射状に延びている。
この従来例２において、その放熱特性がより向上するように、公報の図５に示すように、支持体にファン用軸受けが設けられており、このファン用軸受けには複数のベアリングを介してファンが回転可能に設けられている。ファンとプーリとの間にファンベルトが掛け渡されている。モータによってプーリが回転すると、ファンベルトによりファンが回転する。
【先行技術文献】
【特許文献】
【０００３】
【特許文献１】特開２００９−１６６７４号公報
【特許文献２】特開２００９−２１２６４号公報
【発明の概要】
【発明が解決しようとする課題】
【０００４】
従来例１及び従来例２のいずれも、ＬＥＤから発生される熱をヒートシンクによって外方に逃すから、装置内の温度上昇を抑制することができる利点がある。
しかしながら、従来例１ではヒートシンクが巻き物状であるために、構造が複雑になり、そして高パワー出力のスポット照明装置にあっては放熱量が多いので、当該ヒートシンクのみでは十分な放熱効果が得にくく、ＬＥＤから発生する熱を抑制することが難しい。
また、従来例２は、従来例１と同様に、高パワー出力のスポット照明装置に適用することが難しく、また十分な放熱効果を得るためにファンを使用した場合にはファンから騒音が生じる課題があり、ファンを使用しないで放熱効果の向上が発揮される照明装置の開発が期待されていた。
この発明の目的は、ＬＥＤから発生する熱を効果的に抑制することにある。
【課題を解決するための手段】
【０００５】
この発明に係る照明装置は、フードと、このフード内に配置してあって光源であるＬＥＤを前面側の取付け面に複数設けてある基板と、この基板の背面側に設けてあるヒートシンクと、このヒートシンクと上記基板との間に設けてあるサーモモジュールとを備えている。上記サーモモジュールは、上記基板側に上記ＬＥＤから発生される熱を冷却するための冷却部をその反対側である上記ヒートシンク側に吸収した熱をこのヒートシンクに向けて放熱する放熱部を形成している。
サーモモジュールは、上記ＬＥＤから発生される熱を効果的に冷却することができる冷却素子であり、熱と冷却させるものとしてペルチェ素子が選択される。ペルチェ素子は、基板側が冷却部となる冷却面とし、ヒートシンク側が放熱部となる放熱面とする。上記基板とヒートシンクとの間に断熱板を挟持し、この断熱板の複数個所にペルチェ素子をそれぞれ組み込むのが良い。この断熱板の複数個所に上記ペルチェ素子をそれぞれ組み込んである場合、上記冷却面が上記基板の背面と密着されており、上記放熱面が上記ヒートシンクと密着されている。ヒートシンクとして、例えば背面側に放熱フィンを起立してあるものを用いれば、放熱が円滑に行える。
フードは外カバーのみでも良いが、内カバーを設けた二重構造としても良い。二重構造とした場合、フード内の温度上昇を抑制し、上記外カバーの表面の加熱温度の上昇を抑えるために、上記外カバーに第１及び第２の外側開口をそれぞれ開け、上記内カバーにも第１及び第２の内側開口をそれぞれ開けておくのである。上記内カバー内にヒートシンクを収納している。外気を上記外カバー内に冷気として上記第１の外側開口を通じて流入させ、流入した外気を上記第１の内側開口を介して上記内カバー内に入れて、さらに上記第２の内側開口から上記外カバー内に流出させ、第２の外側開口から上記フードの外側へ排出させる。外気はフード内を通過する過程で熱風となって上記フードの外側へ排出されるが、フード内を通過する過程でフード内の加熱温度の上昇を抑制する。
上記基板の前面側にＬＥＤに対向してカバーを配置して、上記ＬＥＤの損傷などを防止するようにしても良い。
【発明の効果】
【０００６】
この発明によれば、ＬＥＤを取り付けている基板側が冷却部でありかつヒートシンク側が放熱部となっているサーモモジュールを設け、上記冷却部により上記ＬＥＤから発生される熱を強制的に冷やすので、簡単な構成によってＬＥＤから発生する熱を効率的に抑制することができ、ＬＥＤの長寿命化に寄与するとともに、高出力の照明にも適用することができる。
【図面の簡単な説明】
【０００７】
【図１】この発明に係る照明装置を示す一部切欠平面図であって、放熱フィンの一部を省略している図である。
【図２】この発明に係る照明装置に用いる外カバーを示す平面図である。
【図３】この発明に係る照明装置に用いる内カバーを示す一部切欠平面図である。
【図４】この発明に係る照明装置に用いる内カバーを示す背面図である。
【図５】この発明に係る照明装置に用いるＬＥＤを取り付けている基板を示す正面図である。
【図６】この発明に係る照明装置に用いるＬＥＤを取り付けている基板を示す平面図である。
【図７】この発明に係る照明装置に用いる断熱板を示す背面図である。
【図８】図７のＶＩＩＩ−ＶＩＩＩ線断面図である。
【図９】この発明に係る照明装置に用いるヒートシンクを示す背面図である。
【図１０】図９のＸ−Ｘ線断面図である。
【図１１】この発明に係る照明装置に用いる内カバーとヒートシンクとの関係を示す断面図であって、第１の内側開口の一部を省略している図である。
【図１２】この発明に係る照明装置に用いる前カバーを示す正面図である。
【図１３】図１２のＸＩＩＩ−ＸＩＩＩ線断面図である。
【図１４】この発明に係る照明装置に用いる外カバーの他の例を示す一部切欠平面図である。
【図１５】この発明に係る照明装置に用いるペルチェ素子の他の使用例を示す一部切欠背面図であって、インバーターの側面に取り付けている断熱板に組み込んでいる図である。
【発明を実施するための形態】
【０００８】
この発明に係る照明装置について図面を参照して説明する。
図１において、照明装置Ｌは、フード１と、光源であるＬＥＤ２を複数設けてある基板３と、この基板の背面側に設けてある断熱板４と、この断熱板に組み込んであるサーモモジュール５と、上記断熱板を上記基板と共に挟持するヒートシンク６と、上記基板の前面側を覆う前カバー７とを備えている。
照明装置Ｌはフード１の後端側（図１上側）の頂部に口金８を接続してある。
照明装置Ｌは、ＬＥＤ２を通じて前面側（図１下側）に向けて照明光を照射可能のものである。
【０００９】
フード１は、図１に示すように、外カバー１１と内カバー１２とからなる二重構造となっており、外カバー及び内カバーのいずれも例えば繊維強化プラスチック（ＦＲＰ）、アルミニウムなどの部材を用いて形成されている。
外カバー１１は図２に示すように椀状に成形されている。外カバー１１には、前面側（図下側）及び後端側（上側）の各外周にスリット状の外側開口１１１，１１２を円周方向に沿って間隔を置いてそれぞれ貫通状態に開けてある。前面側に位置している第１の外側開口１１１は、円周方向に沿って長い横長スリット状に形成されている。図２において、各第１の外側開口１１１は上下二段に設けられ、上下方向には位置をずらして配置されている。また後端側に位置している第２の外側開口１１２は縦長スリット状に形成されている。
内カバー１２は、図３及び図４に示すように下向きキャップ状の本体部１２１と、この本体部の中心を貫通するパイプ部１２２とからなる。本体部１２１の外周部には、円周方向と交差する方向に長い縦長のスリット状の第１の内側開口１２１ａを円周方向に沿って間隔を置いてそれぞれ貫通状態に開けてある。本体部１２１の天板部には、全面に丸孔状の第２の内側開口１２１ｂを貫通状態に開けてある。
内カバー１２の第１の内側開口１２１ａは、図２に示すように外カバー１１の第１の外側開口１１１と隣接するように配置されている。そして外カバー１１の第１の外側開口１１１は横に長いために、それぞれが内カバー１２における複数の第１の内側開口１２１ａを跨いでいる。内カバー１２の第２の内側開口１２１ｂは、図１に示すようにその上方に位置している外カバー１１の第２の外側開口１１２から離れている。
外カバー１１の第１の外側開口１１１から内部に入った空気は、内カバー１２の第１の内側開口１２１ａを経て内カバーに入り、そして第２の内側開口１２１ｂから外カバー内に流れ出て、さらに第２の外側開口１１２から外カバー外側へ排出される。
図３において、内カバー１２の前面側縁部にはつば部１２３を形成してある。
【００１０】
基板３は、図１、図５及び図６に示すように円板状に形成されており、外カバー１１の開口端内側に取り付けられている。基板３には、ＬＥＤ２に電気的に接続している制御部（図示せず。）を設けてある。基板３の前面（図１下面）側の取付け面には複数のＬＥＤ２を配置してある。
【００１１】
断熱板４は、図１、図７及び図８に示すように基板３の背面側に配置されており、例えばベークライトなどの断熱部材によって円板状に形成されている。
断熱板４は基板３と同じ大きさに形成されており、互いに図８上下方向に重ねられた状態にある。
【００１２】
サーモモジュール５は、図１、図７及び図８に示すように断熱板４の複数個所に開けられている取付け孔４１内に組み込まれている。サーモモジュール５には冷却機能を持つペルチェ素子を用いている。ペルチェ素子５は、図７及び図８に示すように断熱板４内に円周方向に沿って等間隔を置いて複数個（図示の例では６個）が配置されている。ペルチェ素子５は、その前面（図８下面）が冷却部である冷却面５１となっており、基板３から発生される熱を冷却する機能を持っている。また、ペルチェ素子５は、その背面（図８上面）がヒートシンク６に向けて熱を放出する放熱部である放熱面５２となっている。
ペルチェ素子５の冷却面５１及び放熱面５２は、図８に示すように断熱板４の正面及び背面と同一平面を形成している。一方の冷却面５１は基板３の背面に、他方の放熱面５２はヒートシンク６の前面にそれぞれ密着されている。ペルチェ素子５は、図８に示すように断熱板４と一体化され、かつこの断熱板は基板３及び後述するヒートシンク６のベース部分と一体化されている。
ペルチェ素子５は、電源（図示せず。）に電気的に接続されている。ペルチェ素子５は、冷却面５１による冷却を通じてＬＥＤ２の発光に伴う温度上昇を抑制することが可能となり、この冷却は外気温度に影響されない。
【００１３】
ヒートシンク６は、図１、図９及び図１０に示すように例えばアルミニウムなどの部材によって円板状に形成されている放熱部材であり、ベース部分が断熱板４と同様の大きさを備えている。ヒートシンク６は背面側に放熱フィン６１を突出してあり、各放熱フィンはベース部分の中心部を中心として外側に向けて放射状に配置されている。ヒートシンク６の本体部分の背面の中央部分は放熱フィン６１が設けられていない空間部６２となっている。
ヒートシンク６は、その材質がアルミニウムである場合には、例えば押出し機を用いて押出成形法により加工され、そのベース部分と放熱フィン６１とが一体成形されている。
ヒートシンク６は図１１に示すように内カバー１２内に収納されている。ヒートシンク６のベース部分に内カバー１２の本体部１２１が重ねられており、この本体部内にヒートシンクが収納されている。内カバー１２のパイプ部１２２は放熱フィン６１の内側の空間部６２内に配置されている。
図１１に示すように、内カバー１２の第１の内側開口１２１ａから流入された空気は、ヒートシンク６の放熱フィン６１間を流れて、第２の内側開口１２１ｂを通過して内カバーの外側へ排出される。
【００１４】
前カバー７は、図１、図１２及び図１３に示すように基板３の前側を全面被覆するためのものであり、レンズカバー７１、レンズ７２及び外側円筒ケース７３を備えている。
レンズカバー７１は図１、図１２及び図１３に示すように基板３と同様の大きさを備えている円板状に例えばアルミニウムなどの部材によって形成されている。レンズカバー７１は、基板３に取り付けている各ＬＥＤ２と図１３上下方向に対向するように、図１２に示す例では丸孔状のレンズ取付け孔７１１を開けてある。
レンズ７２は、図１２及び図１３に示すように断面がほぼ逆円錐台状に形成されている。レンズ７２の前面（図１３下面）の外周にはつば部７２１を、後端側（図上面側）に凹部７２２を形成してある。レンズ７２の前面側端部はレンズ取付け孔７１１内に嵌め込まれており、つば部７２１によって位置決めされている。レンズ７２の凹部７２２内には各ＬＥＤ２の発光部が収納されている。各レンズ７２はレンズ取付け孔７１１と１対１の関係にあり、すべてのレンズ取付け孔に取り付けられている。
外側円筒ケース７３は、図１２及び図１３に示すようにレンズカバー７１を囲むように配置されている。
【００１５】
図１において、内カバー１２内であって、ヒートシンク６の背面側にはインバーター９１が内蔵されているインバーターケース９２を取り付けている。インバーターケース９２は内カバー１２のパイプ部１２２内に挿入されている。インバーターケース９２は円筒状に形成され、その内周面全面をベークライトなどのような断熱部材９３によって被覆されている。インバーター９１は固定手段（図示せず。）によってインバーターケース９２内に固定されている。
【００１６】
ここで、ＬＥＤ２を取り付けている基板３、断熱板４、サーモモジュール５及びヒートシンク６の相互の関係について説明する。
まず、基板３、断熱板４及びペルチェ素子５の関係について説明する。
ＬＥＤ２の発光に伴って発生する熱は基板３を通じてその背面側に及ぶが、断熱板４の存在によって遮断されるものの、この断熱板に組み込んであるペルチェ素子５の冷却面５１により冷却される。
ついで、基板３、ペルチェ素子５及びヒートシンク６の関係について説明する。
ＬＥＤ付きの基板３からの放出熱は背面の断熱板４によって直接ヒートシンク６に及ぶことなく、ペルチェ素子５を介して冷却される。すなわち、上述したように、基板３からの熱はペルチェ素子５の冷却面５１により冷却され、そしてペルチェ素子の放熱面５２から放熱されてヒートシンク６へ放出される。ヒートシンク６は本体部分及び放熱フィン６１によって熱の放出が行われる。
【００１７】
照明装置Ｌの作用について説明する。
上記構成の照明装置Ｌにおいて、各ＬＥＤ２からの光は、それぞれが対応しているレンズ７２を通じてその光軸を中心として円錐状（放射状）に広がり、レンズカバー７１の前面側に向けて照射される。
上述したようにＬＥＤ付きの基板３からの放出熱はペルチェ素子５の冷却面５１により冷却され、そしてペルチェ素子の放熱面５２から放熱される熱はヒートシンク６の本体部分及び放熱フィン６１よって放出される。
放熱時における空気の流れについて説明する。
フード１の外側の空気は、加熱されているフード内に冷気となって流入される。すなわち、図１、図２及び図１１に示すように、外気はフード１の外カバー１１の第１の外側開口１１１から内部に冷気として吸引される。吸引された冷気は、内カバー１２の第１の内側開口１２１ａを経て内カバーの本体部１２１内に流入される。流入された空気は、本体部１２１内に収納されているヒートシンク６を冷やしながら、熱風となって第２の内側開口１２１ｂを経て内カバー１２の本体部１２１の外側すなわち、外カバー１１内に出て、後方に位置している第２の外側開口１１２から外カバーの外側へ排出される。
このために、冷気が熱風となって排出される過程では、加熱されるヒートシンク６の加熱温度の上昇が抑制される。
また、内カバー１２の第１の内側開口１２１ａを通過しない上記吸引された冷気は、外カバー１１内を後方に向けて流れる。流れる過程において、冷気は内カバー１２の本体部１２１及びパイプ部１２２の各外側を冷やしながら後方に位置している外カバー１１の第２の外側開口１１２に熱風となって向かう。第２の外側開口１１２を通過した熱風は外カバー１１の外側へ排出される。
このために、冷気が熱風となって排出される過程では、内カバー１２の加熱温度の上昇が抑制されると共に、外カバー１１の表面の加熱温度の上昇が抑制される。
【００１８】
図示する照明装置Ｌによれば、ＬＥＤ２からの発熱は基板３の背部側に配置されかつ断熱板４に組み込まれているペルチェ素子５の冷却面５１によって効果的に冷却され、ペルチェ素子から発生した熱は放熱面５２からヒートシンク６へ放出されるので、効率的な外部への放熱が可能となり、ＬＥＤから発生する熱を効率的に抑制することができ、スポットライトのような高パワー出力の照明器具にも適用することができる。
また、図示する照明装置Ｌによれば、外カバー１１及び内カバー１２には、第１の外側開口１１１及び第１の内側開口１２１ａ並びに第２の外側開口１１２及び第２の内側開口１２１ｂを開けて、これらの開口を通じて外気をフード１内に冷気として流入させるので、フード内の温度上昇を効果的に抑制することができる。
【００１９】
基板３、断熱板４及びヒートシンク６をねじなどを用いて一体化し、図１に示す例ではヒートシンクにねじ１０によって内カバー１２を固定しているが、例えばねじ１０を使用して上記基板、断熱板及びヒートシンクを一体化しても良い。
また、外カバー１１と内カバー１２との接続方法は、図示していないが、例えば連結ねじを利用して外カバーの外側から内カバー内にねじ込むなど適宜である。
【００２０】
外カバー１１及び内カバー１２の外観形状は図１〜図３に示す例に限定されない。
例えば図１４に示す外カバー１１Ａは漏斗状に形成されている。そして外カバー１１Ａにおける前面側（図下側）及び後端側（上側）並びにそのほぼ中間部分の各外周にスリット状の外側開口１１１Ａ，１１２Ａ，１１３Ａを円周方向に沿って間隔を置いてそれぞれ貫通状態に開けてある。
前面側に位置している第１の外側開口１１１Ａは、円周方向に沿って長い横長スリット状に形成されている。図１４において、各第１の外側開口１１１Ａは上下三段に設けられ、上下方向に対向して配置されている。また、後端側に位置している第２の外側開口１１２Ａは縦長スリット状にかつ図１４右肩上がりの傾斜状に形成されている。さらに中間部分に位置している第３の外側開口１１３Ａは縦長スリット状にかつ図１４右肩上がりの傾斜状に形成されている。
図１４において、鎖線に示すように外カバー１１Ａ内の内カバー１２Ａは上記内カバー１２と実質的に同一であるが、相違点は第１の内側開口１２１Ａaの幅が幾分広くなっている点のみである。
図１４において、１２１Ａは本体部、１２２Ａはパイプ部、１２３Ａはつば部である。
図１４に示す外カバー１１Ａを用いると、第２及第３の外側開口１１２Ａ，１１３Ａは縦長スリット状かつ傾斜状であるために、内カバー１２Ａから排出される熱風が回転しながら上昇するために、排気スピードが増す。
また、内カバー１２の形状は図示するものに限定されず、例えば外カバー１１のように椀状又は漏斗状のような形状であっても良い。
【００２１】
インバーターケース９２内の温度上昇を抑制するために、図１５に示す例では、ペルチェ素子と同一構成のペルチェ素子５Ａをインバーター９１の外ケースの側面に配置している。すなちわ、インバーター９１の外ケースの側面に断熱板４Ａを貼り付け、この断熱板内にペルチェ素子５Ａを組み込んである。ペルチェ素子５Ａは、外ケースの一方の側面（図１５右側面）が冷却部である冷却面５１Ａとなっており、インバーター９１から発生される熱を冷却する機能を持っている。ペルチェ素子５Ａは、他方の側面（図１５左側面）が断熱部材９３に向けて熱を放出する放熱部である放熱面５２Ａとなっている。
ペルチェ素子に関して、図１に示すようにペルチェ素子５は、冷却面５１による冷却を通じてＬＥＤ２の発光に伴う温度上昇を抑制することが可能であるが、図１５に示すように、ペルチェ素子５Ａを付加することによって温度上昇の抑制効果が一層増す。
【符号の説明】
【００２２】
Ｌ                      照明装置
１                      フード
１１，１１Ａ            外カバー
１１１，１１１Ａ        第１の外側開口
１１２，１１２Ａ        第２の外側開口
１１３Ａ                第３の外側開口
１２，１２Ａ            内カバー
１２１，１２１Ａ        本体部
１２２，１２２Ａ        パイプ部
１２１ａ，１２１Ａａ    第１の内側開口
１２１ｂ                第２の内側開口
２                      ＬＥＤ
３                      基板
４，４Ａ                断熱板
５，５Ａ                ペルチェ素子（サーモモジュール）
５１                    冷却面（冷却部）
５２                    放熱面（放熱部）
６                      ヒートシンク
６１                    放熱フィン
７                      前カバー
７１                    レンズカバー
７２                    レンズ
【図１】
2011018500.tif 000003
【図２】
2011018500.tif 000004
【図３】
2011018500.tif 000005
【図４】
2011018500.tif 000006
【図５】
2011018500.tif 000007
【図６】
2011018500.tif 000008
【図７】
2011018500.tif 000009
【図８】
2011018500.tif 000010
【図９】
2011018500.tif 000011
【図１０】
2011018500.tif 000012
【図１１】
2011018500.tif 000013
【図１２】
2011018500.tif 000014
【図１３】
2011018500.tif 000015
【図１４】
2011018500.tif 000016
【図１５】
2011018500.tif 000017